(57)【要約】【課題】テレビ音声再生と字幕音声再生との切り替え時の違和感を低減することが可能なデジタル放送受信装置、デジタル放送受信装置の制御方法及び制御プログラムを提供する。【解決手段】テレビ音声の字幕データが含まれるデジタルテレビ放送を受信して、映像及び音声を再生するデジタル放送受信装置１０は、音声再生が途切れている間に、字幕データに基づいて字幕を読み上げる字幕音声を生成する字幕音声生成部１７と、デジタルテレビ放送の番組内容あるいはテレビ音声の特徴に合わせて字幕音声を調整する字幕音声調整部２２と、を備える。【選択図】図１
2012138670.tif 000002
【特許請求の範囲】
【請求項１】
テレビ音声の字幕データが含まれるデジタルテレビ放送を受信して、映像及び音声を再生するデジタル放送受信装置において、
音声再生が途切れている間に、前記字幕データに基づいて字幕を読み上げる字幕音声を生成する字幕音声生成部と、
前記デジタルテレビ放送の番組内容あるいは前記テレビ音声の特徴に合わせて前記字幕音声を調整する字幕音声調整部と、
を備えたことを特徴とするデジタル放送受信装置。
【請求項２】
データ放送を取得するデータ放送取得部を備え、
前記字幕音声調整部は、前記字幕データ又は前記データ放送に含まれる発話者情報に合わせて前記字幕音声を調整することを特徴とする請求項１に記載のデジタル放送受信装置。
【請求項３】
データ放送を取得するデータ放送取得部を備え、
前記字幕音声調整部は、前記データ放送に含まれる番組情報に合わせて前記字幕音声を調整することを特徴とする請求項１に記載のデジタル放送受信装置。
【請求項４】
前記テレビ音声を記憶する音声データ記憶部を備え、
前記字幕音声調整部は、前記音声データ記憶部に記憶された、音声再生が途切れる前のテレビ音声の特徴に合わせて前記字幕音声を調整することを特徴とする請求項１に記載のデジタル放送受信装置。
【請求項５】
テレビ音声の字幕データが含まれるデジタルテレビ放送を受信して、映像及び音声を再生するデジタル放送受信装置の制御方法において、
音声再生が途切れている間に、前記字幕データに基づいて字幕を読み上げる字幕音声を生成し、前記デジタルテレビ放送の番組内容あるいは前記テレビ音声の特徴に合わせて前記字幕音声を調整することを特徴とするデジタル放送受信装置の制御方法。
【請求項６】
テレビ音声の字幕データが含まれるデジタルテレビ放送を受信して、映像及び音声を再生するデジタル放送受信装置を制御部により制御するための制御プログラムにおいて、
前記制御部を、音声再生が途切れている間に、前記字幕データに基づいて字幕を読み上げる字幕音声を生成し、前記デジタルテレビ放送の番組内容あるいは前記テレビ音声の特徴に合わせて前記字幕音声を調整する手段として機能させることを特徴とする制御プログラム。
【発明の詳細な説明】
【技術分野】
【０００１】
本発明は、字幕データに基づいて字幕を選択的に表示するデジタル放送受信装置、デジタル放送受信装置の制御方法及び制御プログラムに関する。
【背景技術】
【０００２】
従来、デジタル放送に用いる映像信号および音声信号は、それぞれデジタル圧縮され、符号化されて映像エレメンタリーストリーム(ＥＳ: Elementary Stream)及び音声エレメンタリーストリームとされる。これらの映像エレメンタリーストリームあるいは音声エレメンタリーストリームは、適当な大きさに分割されてパケット化され、ＰＥＳ(Packetized Elementary Stream)とされる。さらにこれらのＰＥＳは、時系列に繋がれ映像トランスファーストリーム（ＴＳ）及び音声トランスファーストリームとされる。
デジタル放送で字幕放送を行う場合には、字幕データは符号化後にエレメンタリーストリームとされ、このエレメンタリーストリームは適当な大きさに分割及びパケット化されてＰＥＳとされ、時系列に繋がれ字幕トランスファーストリーム（ＴＳ）とされる。
これらの映像トランスファーストリーム、音声トランスファーストリーム及び字幕トランスファーストリームは、一つのトランスファーストリームＴＳに多重化され、デジタル放送信号として送信されていた（例えば、特許文献１参照）。
【０００３】
デジタル放送受信装置側では、上述した手順とは逆の手順で、受信した多重信号を映像トランスファーストリーム、音声トランスファーストリーム、字幕トランスファーストリームに分離後それぞれ復号化し、元の映像信号、音声信号、字幕信号としていた。
ところで、デジタル放送における字幕信号は、クローズドキャプションであり、アナログ放送における字幕（オープンキャプション）とは異なっており、表示／非表示の設定または選択が送信側または受信側で設定または選択ができる。
また、字幕放送を行う場合、映像や音声との同期をとる場合には、字幕の表示タイミングが問題になるが、タイムスタンプという仕組みを用いて、映像や音声との同期をとっている。
【先行技術文献】
【特許文献】
【０００４】
【特許文献１】特開２００３−０４６９６０号公報
【発明の概要】
【発明が解決しようとする課題】
【０００５】
ところで、地上波デジタルテレビ放送においては、電波状況が悪くなると、まず、映像を表示できなくなり、次に音声再生が途切れることとなる。
特に車載用デジタル放送受信装置においては、ドライバーは音声により放送内容を把握しているため、音声が途切れると全く放送内容を把握することができなくなってしまう。
この場合に、字幕データに基づいて音声を再生することが考えられるが、一定の音声を用いた場合、通常のテレビ音声と、字幕データに基づく字幕音声との差が大きくなり、通常の音声再生と字幕データに基づく字幕音声再生との切り替え時に、ユーザに違和感を与えるおそれがある。
本発明は、上述した事情に鑑みてなされたものであり、テレビ音声と字幕音声との切り替え時の違和感を低減することが可能なデジタル放送受信装置、デジタル放送受信装置の制御方法及び制御プログラムを提供することを目的とする。
【課題を解決するための手段】
【０００６】
上記目的を達成するために、本発明は、テレビ音声の字幕データが含まれるデジタルテレビ放送を受信して、映像及び音声を再生するデジタル放送受信装置において、音声再生が途切れている間に、前記字幕データに基づいて字幕を読み上げる字幕音声を生成する字幕音声生成部と、前記デジタルテレビ放送の番組内容あるいは前記テレビ音声の特徴に合わせて前記字幕音声を調整する字幕音声調整部と、を備えたことを特徴とする。
上記構成によれば、音声再生が途切れている間に、字幕データに基づいて字幕を読み上げる字幕音声を生成する字幕音声生成部を備えたため、テレビ音声が途切れてしまった場合であっても、字幕データに基づいて字幕音声を再生できる。また、デジタルテレビ放送の番組内容あるいはテレビ音声の特徴に合わせて字幕音声を調整する字幕音声調整部を備えたため、通常のテレビ音声と、字幕データに基づく字幕音声との差が小さくなり、テレビ音声再生と字幕データに基づく字幕音声再生との切り替え時の違和感を低減できる。
【０００７】
上記構成において、データ放送を取得するデータ放送取得部を備え、前記字幕音声調整部は、前記字幕データ又は前記データ放送に含まれる発話者情報に合わせて前記字幕音声を調整してもよい。
【０００８】
上記構成において、データ放送を取得するデータ放送取得部を備え、前記字幕音声調整部は、前記データ放送に含まれる番組情報に合わせて前記字幕音声を調整してもよい。
【０００９】
上記構成において、前記テレビ音声を記憶する音声データ記憶部を備え、前記字幕音声調整部は、前記音声データ記憶部に記憶された、音声再生が途切れる前のテレビ音声の特徴に合わせて前記字幕音声を調整してもよい。
【００１０】
また、本発明は、字テレビ音声の字幕データが含まれるデジタルテレビ放送を受信して、映像及び音声を再生するデジタル放送受信装置の制御方法において、音声再生が途切れている間に、前記字幕データに基づいて字幕を読み上げる字幕音声を生成し、前記デジタルテレビ放送の番組内容あるいは前記テレビ音声の特徴に合わせて前記字幕音声を調整する。
【００１１】
また、本発明は、テレビ音声の字幕データが含まれるデジタルテレビ放送を受信して、映像及び音声を再生するデジタル放送受信装置を制御部により制御するための制御プログラムにおいて、前記制御部を、音声再生が途切れている間に、前記字幕データに基づいて字幕を読み上げる字幕音声を生成し、前記デジタルテレビ放送の番組内容あるいは前記テレビ音声の特徴に合わせて前記字幕音声を調整する手段として機能させることを特徴とする。
【発明の効果】
【００１２】
本発明によれば、テレビ音声が途切れてしまった場合であっても、字幕データに基づいて字幕音声を再生できるとともに、通常のテレビ音声と、字幕データに基づく字幕音声との差が小さくなり、テレビ音声再生と字幕データに基づく字幕音声再生との切り替え時の違和感を低減できる。
【図面の簡単な説明】
【００１３】
【図１】本発明の実施の形態に係る車載用デジタル放送受信装置の概要構成ブロック図である。
【図２】字幕デコーダ部の概要構成ブロック図である。
【図３】デジタル放送信号のフォーマットの一例の説明図である。
【図４】データベースを示す図であり、（Ａ）は番組情報データベースを示す図であり、（Ｂ）は発話者データベースを示す図である。
【図５】音声再生監視処理を示すフローチャートである。
【図６】字幕音声再生処理を示すフローチャートである。
【発明を実施するための形態】
【００１４】
以下、図面を参照して本発明の実施の形態について説明する。以下の説明では、デジタル放送受信装置として、車載型の車載用デジタル放送受信装置について例示する。
図１は、本実施の形態に係る車載用デジタル放送受信装置の概要構成ブロック図である。
車載用デジタル放送受信装置１０は、例えば車両のコンソールパネル等に設置されている。車載用デジタル放送受信装置１０は、地上波デジタルテレビ放送を受信するための外部アンテナ１１に接続され、このアンテナを介して、地上波デジタルテレビ放送に係る信号（以下、単にデジタル放送信号と言う。）を受信する。この車載用デジタル放送受信装置１０は、制御部２２と、入力部２３と、チューナ部１２と、トランスファーストリームデコーダ部１３と、映像デコーダ部１４と、音声デコーダ部１５と、字幕デコーダ部１６と、データ放送デコーダ部（データ放送取得部）２４と、音声合成部（字幕音声生成部）１７と、音声処理部１９と、映像処理部２１と、記憶部６０とを備えている。
【００１５】
制御部２２は、ＣＰＵや、ＲＯＭ、ＲＡＭ、その他の周辺回路等を備え、車載用デジタル放送受信装置１０を構成する各部を中枢的に制御する。また、制御部２２は、文字を認識する文字認識部２２Ａと、音声データを解析する音声データ解析部２２Ｂとを備えている。
入力部２３は、キーボードやマウス等の入力デバイスや、車載用デジタル放送受信装置１０本体に設けられた操作スイッチ、図示せぬリモートコントローラーからの信号を受信する受信機等に接続され、ユーザによる車載用デジタル放送受信装置１０に対する番組選択を含む各種の指示入力を検出し、制御部２２に出力する。
【００１６】
チューナ部１２は、制御部２２の制御の下、外部アンテナ１１により受信したデジタル放送信号を復調して放送信号を生成し、トランスファーストリームデコーダ部１３に出力する。
トランスファーストリームデコーダ部１３は、制御部２２の制御の下、チューナ部１２から入力されたトランスファーストリーム形式の放送信号から、ユーザが選択した番組に対応する映像ＰＥＳ、音声ＰＥＳ、字幕ＰＥＳおよびデータ放送データを抽出し、映像ＰＥＳを映像デコーダ部１４に、音声ＰＥＳを音声デコーダ部１５に、字幕ＰＥＳを字幕デコーダ部１６に、データ放送をデータ放送データとしてデータ放送デコーダ部２４に出力する。また、トランスファーストリームデコーダ部１３は、映像データ、音声データ、字幕データおよびデータ放送を抽出できない場合には、それぞれのエラーデータを制御部２２に出力する。
【００１７】
映像デコーダ部１４は、制御部２２の制御の下、トランスファーストリームデコーダ部１３から入力された映像ＰＥＳを復号し、映像信号ＳＧとして映像処理部２１に出力する。
音声デコーダ部１５は、制御部２２の制御の下、トランスファーストリームデコーダ部１３から入力された音声ＰＥＳを復号し、音声信号ＳＡとして音声処理部１９に出力する。また、音声デコーダ部１５は、複合した音声データを制御部２２に出力する。
字幕デコーダ部１６は、制御部２２の制御の下、トランスファーストリームデコーダ部１３から入力された字幕ＰＥＳ（独立ＰＥＳ）を復号し、字幕信号ＳＣとして映像処理部２１に、字幕データＤＣとして音声合成部１７に出力する。また、字幕デコーダ部１６は、複合した字幕データを制御部２２に出力する。
【００１８】
データ放送デコーダ部２４は、制御部２２の制御の下、トランスファーストリームデコーダ部１３から入力されたデータ放送データを復号し、データ放送信号ＳＤとして映像処理部２１に出力する。すなわち、データ放送デコーダ部２４は、データ放送を取得する。また、データ放送デコーダ部２４は、複合したデータ放送データを制御部２２に出力する。
データ放送データには、番組情報や番組配列情報等が含まれており、番組情報に関連するデータとして、個々の番組のジャンル（例えば、ニュース番組、スポーツ番組、ドラマ番組、映画番組、アニメ番組等）を示すデータや、個々の番組のタイトルを示すデータ、個々の番組を特徴付づけるキーワード（例えば、出演者名や役名等）のデータ等が存在する。
【００１９】
音声合成部１７は、制御部２２の制御の下、字幕データＤＣに基づいて字幕を読み上げる字幕音声を生成し、字幕音声信号ＳＣＡとして音声処理部１９に出力する。
音声処理部１９は、Ｄ／Ａ変換器や増幅器等を備え、音声信号ＳＡあるいは字幕音声信号ＳＣＡに対して各種処理を行い、外部スピーカー１８に出力する。
映像処理部２１は、映像信号ＳＧ、字幕信号ＳＣおよびデータ放送信号ＳＤに対して各種の映像処理を行い、ディスプレイ２０に出力する。ディスプレイ２０は、液晶ディスプレイや、有機ＥＬディスプレイ、ＣＲＴディスプレイ等の表示ディスプレイを備え、この表示ディスプレイに映像処理部２１から入力された映像信号ＳＧに基づいて、テレビ画面等の映像を表示する。
【００２０】
記憶部６０は、ハードディスクやＥＥＰＲＯＭ等の記憶装置を備え、制御部２２の制御の下、各種データを書き換え可能に記憶する。記憶部６０は、音声デコーダ部１５が出力した音声データを記憶する音声データ記憶部６０Ａと、字幕デコーダ部１６が出力した字幕データを記憶する字幕データ記憶部６０Ｂと、データ放送デコーダ部２４が出力したデータ放送データを記憶するデータ放送データ記憶部６０Ｃと、発話者データベース６１（図４参照）を記憶する発話者記憶部６０Ｄと、番組情報データベース６２（図４参照）を記憶する番組情報記憶部６０Ｅと、とを有している。
【００２１】
図２は、字幕デコーダ部１６の概要構成ブロック図である。
字幕デコーダ部１６は、大別すると、字幕データの解析を行うデータ解析部２５と、データ解析部２５の解析結果に基づいて字幕信号ＳＣおよび字幕データＤＣを生成し出力する字幕制御部２６と、を備えている。
データ解析部２５は、字幕ＰＥＳが入力され、入力された字幕ＰＥＳの符号解析を行って、制御情報および文字情報を抽出して出力する符号解析部２７と、符号解析部２７により抽出された制御情報を解析し、字幕文字の表示位置、字幕文字の表示開始タイミング（ＰＴＳ：Presentation Time Stamp）、字幕文字の表示サイズ、字幕文字の表示色などの表示制御情報を解析結果として出力する制御情報解析部２８と、符号解析部２７により抽出された文字情報を解析し、字幕文字の文字コード、外字情報などの文字制御情報を解析結果として出力する文字情報解析部２９と、を備えている。
【００２２】
図３は、デジタル放送信号のフォーマットの一例の説明図である。
デジタル放送信号３０は、映像トランスファーストリーム３１、音声トランスファーストリーム３２、字幕トランスファーストリーム３３及びデータ放送トランスファーストリーム３４を備えている。
映像トランスファーストリーム３１、音声トランスファーストリーム３２及び字幕トランスファーストリーム３３は、同様の構成を採っている。より具体的には、映像トランスファーストリーム３１は、トランスファーストリームの先頭を表すトランスファストリームヘッダー４１と、実際の映像データが格納された映像ＰＥＳ４２と、を備えている。また、音声トランスファーストリーム３２は、トランスファーストリームの先頭を表すトランスファストリームヘッダー４４と、実際の音声データが格納された音声ＰＥＳ４５と、を備えている。また、字幕トランスファーストリーム３３は、トランスファーストリームの先頭を表すトランスファストリームヘッダー４７と、実際の字幕データが格納された字幕ＰＥＳ４８と、を備えている。データ放送トランスファーストリーム３４は、トランスファーストリームの先頭を表すトランスファストリームヘッダー７１と、実際のデータ放送が格納されたデータ放送パケット７２と、を備えている。
【００２３】
ここで、字幕ＰＥＳについてより詳細に説明する。
字幕ＰＥＳ４８は、格納されている字幕データの種類（同期型あるいは非同期型）を表すＰＥＳヘッダー５１と、実際の字幕データが複数組格納されたＰＥＳデータ５２と、を備えている。
ＰＥＳデータ５２は、ＰＥＳデータ５２の先頭部分であることを示すヘッダー５３と、複数組の字幕データに対応する情報が格納されたデータグループデータ５４と、誤り検出用のＣＲＣコードを格納したＣＲＣデータ５５と、を備えている。
データグループデータ５４は、字幕文字の表示開始タイミング（ＰＴＳ）を含む各種制御情報を格納した制御情報部５６と、実際の字幕データが格納されたデータユニット５７と、で構成される字幕データグループ５８を複数個備えている。
データユニット５７は、文字位置、文字サイズ情報、色情報、文字間隔指定情報、行間隔指定情報、字幕本文の文字コード、規格外の文字のビットマップイメージなどの外字情報などを格納している。
【００２４】
図４は、データベースを示す図であり、図４（Ａ）は発話者データベース６１を示す図であり、図４（Ｂ）は番組情報データベース６２を示す図である。
図４（Ａ）に示すように、発話者データベース６１の１件のレコードには、発話者の名前を示す発話者名フィールド６１Ａと、音声調整情報を示すデータが格納される音声調整情報フィールド６１Ｂとが含まれている。音声調整情報には、デフォルトの字幕音声に対して声質や口調を変化させるパラメータが格納されている。
図４（Ｂ）に示すように、番組情報データベース６２の１件のレコードには、番組情報を示すデータが格納される番組情報フィールド６２Ａと、音声調整情報を示すデータが格納される音声調整情報フィールド６２Ｂとが含まれている。番組情報には、番組のジャンルや、タイトル、キーワードが格納されている。例えば、番組ジャンルがニュース番組であるレコードに、デフォルトの字幕音声を落ち着いた口調に変化させる音声調整情報ＰＧ１が格納されている。
【００２５】
次に、図１〜図３を参照し、本実施の形態の動作を説明する。
車載用デジタル放送受信装置１０のチューナ部１２は、外部アンテナ１１を介して受信したデジタル放送信号を復調し、トランスファーストリームデコーダ部１３に出力する。
トランスファーストリームデコーダ部１３は、放送信号からトランスファーストリームのデコードを行い、映像ＰＥＳ４２を映像デコーダ部１４に出力し、音声ＰＥＳ４５を音声デコーダ部１５に出力し、字幕ＰＥＳ４８を字幕デコーダ部１６に出力する。
【００２６】
これにより、映像デコーダ部１４は、映像ＰＥＳ４２の復号化を行い映像信号ＳＧとして映像処理部２１に出力する。
また、音声デコーダ部１５は、音声ＰＥＳ４５の復号化を行い音声信号ＳＡとして音声処理部１９に出力する。
また、字幕デコーダ部１６のデータ解析部２５は、符号解析部２７により入力された字幕ＰＥＳ４８の符号解析を行って、制御情報である制御情報部５６を抽出して制御情報解析部２８に出力する。また、符号解析部２７は、文字情報であるデータユニット５７を抽出して文字情報解析部２９に出力する。
【００２７】
これらの結果、制御情報解析部２８は、符号解析部２７により抽出された制御情報を解析し、字幕文字の表示位置、字幕文字の表示開始タイミング（ＰＴＳ）、字幕文字の表示サイズ、字幕文字の表示色などの表示制御情報を解析結果として字幕制御部２６に出力する。
一方、文字情報解析部２９は、符号解析部２７により抽出された文字情報を解析し、字幕文字の文字コード、外字情報などの文字制御情報を解析結果として字幕制御部２６に出力する。
【００２８】
そして、字幕制御部２６は、表示制御情報および文字制御情報に基づいて字幕信号ＳＣを生成して映像処理部２１に出力する。なお、本実施の形態において、字幕はクローズドキャプションであるので、表示設定がなされていない場合には、映像処理部２１に字幕信号ＳＣが出力されることはない。
また、字幕制御部２６は、字幕データＤＣを生成して音声合成部１７に出力する。
【００２９】
ところで、制御部２２は、トランスファーストリームデコーダ部１３の動作状態を監視し、電波状態が悪くなって、音声デコーダ部１５により通常の音声（テレビ音声）を再生できない状態になったかを常時監視している。
そして、音声デコーダ部１５により音声再生ができない状態になったと判別した場合には、字幕デコーダ部１６から出力された字幕データＤＣに基づいて音声合成部１７に音声合成を行わせ、音声処理部１９を介して、字幕音声の再生を行わせることとなる。
【００３０】
図５は、音声再生監視処理を示すフローチャートである。
まず、制御部２２は、トランスファーストリームデコーダ部１３の動作状態を監視し（ステップＳ１１）、映像再生が可能であるか否かを判別する（ステップＳ１２）。このとき、制御部２２は、トランスファーストリームデコーダ部１３から映像データのエラーデータが入力されていなければ、映像再生が可能であると判別する。
ステップＳ１２の判別において、映像再生が可能である場合には（ステップＳ１２；Ｙｅｓ）、制御部２２は、音声データ記憶部６０Ａに音声データを記憶させる（ステップＳ１３）。音声データ記憶部６０Ａには、所定時間分あるいは所定量の音声データが記憶される。
次いで、制御部２２は、映像処理部２１に映像信号ＳＧに基づいて映像再生を行わせるとともに、音声処理部１９に音声信号ＳＡに基づいて音声を再生させ（ステップＳ１４）、処理を再びステップＳ１１に移行させ、以下同様の処理を行わせる。
【００３１】
ステップＳ１２の判別において、映像再生が可能ではない場合には（ステップＳ１２；Ｎｏ）、制御部２２は、トランスファーストリームデコーダ部１３の動作状態に基づいて、音声再生が可能であるか否かを判別する（ステップＳ１５）。このとき、制御部２２は、トランスファーストリームデコーダ部１３から音声データのエラーデータが入力されていなければ、音声再生が可能であると判別する。
【００３２】
ステップＳ１５の判別において、音声再生が可能である場合には（ステップＳ１５；Ｙｅｓ）、制御部２２は、音声データ記憶部６０Ａに音声データを記憶させ（ステップＳ１６）、音声処理部１９に音声信号ＳＡに基づいて音声再生を行わせ（ステップＳ１７）、処理を再びステップＳ１１に移行させ、以下同様の処理を行わせる。
ステップＳ１５の判別において、音声再生が可能ではない場合には（ステップＳ１５；Ｎｏ）、字幕音声の再生が必要であるので、制御部２２は、字幕音声再生処理を行い（ステップＳ１８）、処理をステップＳ１１に移行する。
【００３３】
図６は、字幕音声再生処理を示すフローチャートである。
字幕音声再生処理において、制御部２２は、音声合成部１７が生成した字幕音声を調整する字幕音声調整部として機能する。
まず、制御部２２は、音声再生が途切れた場合には、音声合成部１７に字幕データＤＣから字幕音声を生成させる（ステップＳ２１）。このとき、音声合成部１７が生成する字幕音声がデフォルトの字幕音声である。
次いで、制御部２２は、データ放送が有るか否か判別する（ステップＳ２２）。このとき、制御部２２は、トランスファーストリームデコーダ部１３からデータ放送のエラーデータが入力されていなければ、データ放送が有ると判別する。
【００３４】
ステップＳ２２の判別において、データ放送が有る場合には（ステップＳ２２；Ｙｅｓ）、制御部２２は、データ放送に含まれる番組内容に合わせて字幕音声を調整する（ステップＳ２３）。
より詳細には、制御部２２は、文字認識部２２Ａに、字幕データ記憶部６０Ｂに記憶された字幕データの文字を認識させ、字幕データに出演者名又は役名等の発話者名を特定する発話者情報が含まれているか否か判別する。例えば、制御部２２は、ドラマ番組や映画番組、アニメ番組において、字幕の最初に付される役名を発話者情報として認識する。さらに、制御部２２は、文字認識部２２Ａに、データ放送データ記憶部６０Ｃに記憶されたデータ放送の文字を認識させ、データ放送と、字幕データに含まれていた発話者情報とを比較することで、発話者名を特定してもよい。
【００３５】
そして、制御部２２は、発話者記憶部６０Ｄに記憶された発話者データベース６１の発話者名フィールド６１Ａを参照し、発話者名を含むレコードを特定する。制御部２２は、発話者名を含むレコードを特定すると、特定したレコードの音声調整情報を音声合成部１７に出力してデフォルトの字幕音声を調整し、音声合成部１７に、調整した字幕音声を字幕音声信号ＳＣＡとして出力させる。
【００３６】
制御部２２は、発話者情報を特定できなかった場合、あるいは、特定した発話者名を示すレコードが特定できなかった場合には、音声合成部１７にデフォルトの字幕音声を字幕音声信号ＳＣＡとして出力させる。このとき、制御部２２は、番組情報記憶部６０Ｅに記憶された番組情報データベース６２を参照し、ユーザにより選択された番組の番組情報に合わせて字幕音声を調整してもよい。例えば、ユーザにより選択された番組がニュース番組の場合、制御部２２は、番組情報データベース６２の番組情報フィールド６２Ａを参照し、ユーザにより選択された番組の番組情報を含むレコードを特定する。制御部２２は、番組情報を含むレコードを特定すると、特定したレコードの音声調整情報を用いてデフォルトの字幕音声を落ち着いた音声に調整する。
【００３７】
ステップＳ２２の判別において、データ放送が無い場合には（ステップＳ２２；Ｎｏ）、制御部２２は、途切れる前のテレビ音声の特徴に合わせて字幕音声を調整して再生する（ステップＳ２４）
より詳細には、制御部２２は、音声データ解析部２２Ｂに、音声データ記憶部６０Ａに記憶された音声データを解析させる。そして、制御部２２は、周波数等の解析結果から音声調整情報を生成し、生成した音声調整情報を音声合成部１７に出力してデフォルトの字幕音声を調整し、音声合成部１７に、調整した字幕音声を字幕音声信号ＳＣＡとして出力させる。
【００３８】
次いで、制御部２２は、音声処理部１９に調整した字幕音声を再生させる（ステップＳＳ２５）。音声処理部１９は、調整された字幕音声信号ＳＣＡに対して各種処理を行い、外部スピーカー１８に出力するので、外部スピーカー１８から発話者の音声特徴に合った字幕音声が再生される。
これにより、電波状況の悪化により、映像ばかりでなく音声が途切れてしまった場合であっても、字幕データに基づいて字幕音声が再生されるので、視聴者であるユーザは視聴していた番組がどのような状況になっているのかを容易に把握できる。
特に車載用テレビ受信装置においては、ドライバーは、テレビ画面を注視することができないので、映像ばかりでなく音声が途切れてしまった場合には、従来においては全く放送内容を把握することができなかった。本実施の形態では、音声が途切れてしまった場合に字幕音声が再生されるので、ドライバーは放送内容を把握できる。しかも、番組情報や発話者情報等の番組内容あるいは途切れる前のテレビ音声に合わせて字幕音声が調整されるので、通常の音声再生と字幕データに基づく字幕音声再生との切り替え時の違和感を最小限に抑えることができる。
【００３９】
なお、ステップＳ２５の字幕音声の再生において、制御部２２は、一区切りの字幕に基づく字幕音声の再生が終了した際に、次の字幕に基づく字幕音声に対しステップＳ２３又はステップＳ２４で行った調整を引き継いでもよいし、次の字幕に基づく字幕音声をデフォルトの字幕音声として再生してもよい。ここで、一区切りの字幕としては、例えば、一又は複数のデータユニット５７に含まれる字幕、あるいは、一又は複数の字幕ＰＥＳ４８に含まれる字幕があげられる。
【００４０】
以上説明したように、本実施の形態によれば、音声再生が途切れている間に、字幕データに基づいて字幕を読み上げる字幕音声を生成する音声合成部１７と、デジタルテレビ放送の番組内容に合わせて字幕音声を調整する制御部２２と、データ放送を取得するデータ放送デコーダ部２４とを備え、制御部２２は、番組情報や発話者情報等の番組内容に合わせて字幕音声を調整する構成とした。このため、電波状況の悪化により、映像ばかりでなく音声が途切れてしまった場合であっても、字幕データに基づいて字幕音声を再生でき、視聴者であるユーザは視聴していた番組がどのような状況になっているのかを容易に把握できる。しかも、番組情報や発話者情報に合わせて字幕音声が調整されるので、通常のテレビ音声と、字幕データに基づく字幕音声との差が小さくなり、通常の音声再生と字幕データに基づく字幕音声再生との切り替え時の違和感を低減できる。
【００４１】
また、本実施の形態によれば、テレビ音声を記憶する音声データ記憶部６０Ａを備え、制御部２２は、音声データ記憶部６０Ａに記憶された、音声再生が途切れる前のテレビ音声の特徴に合わせて字幕音声を調整する構成とした。このため、例えば、データ放送が無い場合でも、途切れる前のテレビ音声に合わせて字幕音声が調整されるので、通常のテレビ音声と、字幕データに基づく字幕音声との差が小さくなり、通常の音声再生と字幕データに基づく字幕音声再生との切り替え時の違和感を低減できる。
【００４２】
但し、上記実施の形態は本発明の一態様であり、本発明の趣旨を逸脱しない範囲において適宜変更可能であるのは勿論である。
例えば、上記実施の形態では、ステップＳ２３において、制御部２２は、発話者情報から音声調整情報を特定できなかった場合に、番組内容に合わせてデフォルトの字幕音声を調整したいたが、発話者情報の特定を試みることなく、直接、番組内容に合わせてデフォルトの字幕音声を調整してもよい。
また、上記実施の形態では、番組情報をデジタルテレビ放送に含まれるデータ放送から取得していたが、番組情報をネットワークを介して取得してもよい。
【００４３】
また、上記実施の形態では、デジタル放送受信装置は、車載型の車載用デジタル放送受信装置として説明したが、例えば、携帯電話、ＰＮＤ（Personal Navigation Device）、ゲーム機等の携帯端末に内蔵される携帯型のデジタル放送受信装置や、据置型のデジタル放送受信装置であってもよい。
【符号の説明】
【００４４】
１０  車載用デジタル放送受信装置（デジタル放送受信装置）
１７  音声合成部（字幕音声生成部）
２２  制御部（字幕音声調整部）
２４  データ放送デコーダ部（データ放送取得部）
２５  記憶部
２５Ａ  音声データ記憶部
【図１】
2012138670.tif 000003
【図２】
2012138670.tif 000004
【図３】
2012138670.tif 000005
【図４】
2012138670.tif 000006
【図５】
2012138670.tif 000007
【図６】
2012138670.tif 000008